(57)【要約】      （修正有）【課題】動物と植物に無害な手段で害虫を除去する害虫除去装置を提供する。【解決手段】害虫を生理撹乱させる波長の光線を照射する光源部６０と、前記光源部６０と連結されて前記光源部６０の作動を制御する制御部７０を含む害虫除去装置を提供する。前記光源部６０の光線は青色と紫色のうち、少なくともいずれか１つの系列の可視光線を含む。前記制御部７０は前記光源部６０を第１設定時間の間消灯する消灯モード及び前記光源部を第２設定時間の間点灯と消灯を繰り返す点灯モードが夜間に交番されながら繰り返されるようにする。【選択図】図２
2008104444.tif 000002
【特許請求の範囲】
【請求項１】
害虫を生理撹乱させる波長の光線を照射する光源部と、
前記光源部と連結されて前記光源部の作動を制御する制御部と、
を含むことを特徴とする害虫除去装置。
【請求項２】
前記光源部の光線は青色と紫色のうち、少なくともいずれか１つの系列の可視光線を含むことを特徴とする請求項１記載の害虫除去装置。
【請求項３】
前記光源部の光線は３８０ｎｍ〜５００ｎｍ波長帯域の光線を含むことを特徴とする請求項１記載の害虫除去装置。
【請求項４】
前記光源部の光線は害虫を誘引する波長の光線を更に含むことを特徴とする請求項１記載の害虫除去装置。
【請求項５】
前記光源部の光線は植物の生育の助けになる波長の光線を更に含むことを特徴とする請求項１記載の害虫除去装置。
【請求項６】
前記制御部は、前記光源部を第１設定時間の間消灯する消灯モードと、前記光源部を第２設定時間の間点灯する点灯モードとが、夜間に交互に繰り返されるようにすることを特徴とする請求項１記載の害虫除去装置。
【請求項７】
前記制御部は、前記光源部を第１設定時間の間消灯する消灯モードと、前記光源部を第２設定時間の間点灯と消灯を繰り返す点灯モードとが、夜間に交互に繰り返されるようにすることを特徴とする請求項１記載の害虫除去装置。
【請求項８】
前記制御部は、前記消灯モードまたは点灯モードの作動回数が設定回数に到達する時まで繰り返すことを特徴とする請求項６または７記載の害虫除去装置。
【請求項９】
前記光源部は複数個が配置され、前記光源部は互いに異なる波長帯域の光線を各々発生させることを特徴とする請求項１乃至８のうち、いずれか１つに記載の害虫除去装置。
【請求項１０】
前記光源部と前記制御部が内部に配置され、前面に開口部が形成されたハウジングと、
前記ハウジングの内部に配置され、前記光源部と前記制御部が装着されて前記光源部の光線を前記開口部に反射させる反射体と、
前記開口部に配置される透明板と、
前記ハウジングの前面に着脱可能に結合され、前記開口部に前記透明板と前記反射体を固定する固定カバーと、
前記ハウジングに一側が連結され、他側にクランプが備えられた据置台を更に含むことを特徴とする請求項１乃至９のうち、いずれか１つに記載の害虫除去装置。
【請求項１１】
前記ハウジングの一側に配置されて外部の光を感知する感知部と、前記ハウジングの他側に配置されて機器の作動の有無を表示する表示部を更に含むことを特徴とする請求項１０記載の害虫除去装置。
【請求項１２】
前記ハウジングと前記透明板のうち、少なくともいずれか１つには、放熱口が形成されたことを特徴とする請求項１０記載の害虫除去装置。
【請求項１３】
前記ハウジングと前記固定カバーのうち、少なくともいずれか１つの下部には、前記ハウジングの内部から外部に水を排水する排水口が形成されたことを特徴とする請求項１０記載の害虫除去装置。
【請求項１４】
前記光源部は、前記反射体の前面に配置されて害虫の生理を撹乱させる波長の光線を発生させるランプと、前記ランプの前方に配置されて前記ランプの光線のうち、特定波長の光線をフィルタリングするフィルタ板を含むことを特徴とする請求項１０記載の害虫除去装置。
【請求項１５】
前記フィルタ板は前記透明板の前面に配置され、前記固定カバーは前記透明板の前面に配置された前記フィルタ板を固定する固定部を含むことを特徴とする請求項１４記載の害虫除去装置。
【請求項１６】
前記ハウジングの内部に流入する直射光線を遮断すると共に、必要時に前記透明板の前面を覆って保護するように前記固定カバーの前面の上部に回動可能に連結された遮断板を更に含むことを特徴とする請求項１４記載の害虫除去装置。
【発明の詳細な説明】
【技術分野】
【０００１】
本発明は、害虫除去装置に関し、より詳しくは、動物と植物に無害な手段で害虫を除去する害虫除去装置に関する。
【背景技術】
【０００２】
一般に、害虫は、人間の生活に直接または間接的に害を及ぼす昆虫である。直接的に害を及ぼす昆虫としては、蚤、虱、南京虫、蚊、蜂、毒蛾、蟻などがある。そして、間接的に害を及ぼす昆虫としては、油虫や浮塵子のように農作物に害になる農業害虫、穀象虫やゴキブリのように貯蔵した穀物に発生する貯穀害虫、蚊や蠅のように家畜に有害な家畜害虫、酪農製品や干魚物に発生する食品害虫、蠅やゴキブリのように伝染病を媒介または伝播させる環境衛生害虫などがある。特に、農業害虫は、農作物の作物状況を悪化させて農民の収益を減少させるだけでなく、全世界的に問題となっている食糧の不足現象を深刻化させる点で問題となっている。
【０００３】
害虫の駆除方法には、各種殺虫剤を撒布したり、害虫を捕食する天敵を放したり、害虫の走光性を利用して害虫を誘引して殺すなどの方法がある。一方、殺虫剤としては、化学合成農薬が代表的に使われており、害虫の走光性を利用した装置としては、誘引補虫器と電撃殺虫器が代表的に使われている。
【０００４】
しかしながら、従来技術に係る殺虫剤による駆除方法は、農薬に対する害虫の耐性が増大して害虫の駆除効果が徐々に減少するという問題点と、農作物の残留農薬が人体に蓄積されて人に深刻な脅威になるという問題点がある。
【０００５】
最近は、ＷＴＯ協定及び国連気候変動枠組条約（ＵＮＦＣＣＣ）などのような国際規約により化学肥料と化学農薬の使用規制が非常に強化される趨勢である。したがって、農作物と人体に無害な微生物農薬が多様に開発されたのであり、天敵を利用した親環境農法も多数提示された。しかしながら、微生物農薬と親環境農法などは、化学肥料または化学農薬を使用することに比べて害虫の除去効果が微小であるという問題点がある。
【０００６】
また、従来技術に係る誘引補虫器による駆除方法は、殺虫室に光に沿って害虫が誘引され、殺虫室の内部で多様な方法により害虫が捕獲または除去される。殺虫室の内部には、殺虫剤、害虫が接着される接着剤、または、害虫に物理的損傷を加えるファンブレード（Fan blade）などが備えられる。そして、電撃殺虫器は、高圧の電気が印加された窓格子に光により害虫が誘引され、窓格子の高圧電流により害虫が感電する。
【０００７】
しかしながら、誘引補虫器と電撃殺虫器では、光により誘引できる成虫のみ除去されるので、卵や幼虫が生きているため、害虫の根源的な防除が可能ではないという問題点がある。また、誘引補虫器と電撃殺虫器は、長時間使用する際に、殺虫剤の補充、接着剤の取替、ファンと窓格子の掃除などのような事後管理が要求され、管理費用も大きく増加するという問題点がある。また、害虫の大型蛾類や大型甲虫類は、殺虫剤と電気衝撃により死ぬ可能性が顕著に低いのみならず、接着剤からも容易に脱出可能であるという問題点がある。
【発明の開示】
【発明が解決しようとする課題】
【０００８】
本発明は、動物と植物に無害な手段で害虫を効果的に除去し、事後管理が容易な害虫除去装置を提供することをその目的とする。
【課題を解決するための手段】
【０００９】
前述の目的を達成するために、本発明の害虫除去装置は、害虫を生理撹乱させる波長の光線を照射する光源部と、前記光源部と連結されて前記光源部の作動を制御する制御部とを含む。
【００１０】
前記光源部の光線は青色と紫色のうち、少なくともいずれか１つの系列の可視光線を含むことが好ましい。具体的に、前記光源部の光線は３８０ｎｍ〜５００ｎｍ波長帯域の光線を含むことが好ましい。また、前記光源部の光線は害虫を誘引する波長の光線を更に含むことが好ましい。即ち、前記光源部の害虫を誘引する光線は、蠅目の害虫に対して赤色系列の可視光線であり、蝉目の害虫に対して黄色系列または樺色系列の可視光線でありうる。また、前記光源部の光線は植物の生育の助けになる波長の光線を更に含むことが好ましい。前記光源部は複数個が配置され、前記光源部は互いに異なる波長帯域の光線を各々発生させることが好ましい。
【００１１】
前記制御部は、前記光源部を第１設定時間の間消灯する消灯モードと、前記光源部を第２設定時間の間点灯する点灯モードとが、夜間に交番されながら繰り返されるようにすることが好ましい。または、前記制御部は前記光源部を第１設定時間の間消灯する消灯モードと、及び前記光源部を第２設定時間の間点灯と消灯を繰り返す点灯モードとが、夜間に交互に繰り返されるようにすることが好ましい。即ち、前記光源部は夜間に点灯と消灯を繰り返して閃光形態で光線を照射することになる。または、前記制御部は前記消灯モードまたは点灯モードの作動回数が設定回数に到達する時まで繰り返すことが好ましい。
【００１２】
一方、前記害虫除去装置は、前記光源部と前記制御部が内部に配置され、前面に開口部が形成されたハウジングと、前記ハウジングの内部に配置されて前記光源部と前記制御部が装着され、前記光源部の光線を前記開口部に反射させる反射体と、前記開口部に配置される透明板と、前記ハウジングの前面に着脱可能に結合されて前記開口部に前記透明板と前記反射体を固定する固定カバーと、前記ハウジングに一側が連結され、他側にクランプが備えられた据置台を更に含むことが好ましい。そして、前記害虫除去装置は、前記ハウジングの一側に配置されて外部の光を感知する感知部と、前記ハウジングの他側に配置されて機器の作動の有無を表示する表示部を更に含むことが好ましい。
【００１３】
前記ハウジングと前記透明板のうち、少なくともいずれか１つには、放熱口が形成されることが好ましい。前記ハウジングと前記固定カバーのうち、少なくともいずれか１つの下部には、前記ハウジングの内部から外部に水を排水する排水口が形成されることが好ましい。参考までに、前記反射体の前面には前記光源部の光線を乱反射させるように複数個の角度で反射面を形成し、前記反射面には金属材質を含むメッキ層を形成することができる。
【００１４】
前記光源部は、前記反射体の前面に配置されて害虫の生理を撹乱させる波長の光線を発生させるランプと、前記ランプの前方に配置されて前記ランプの光線のうち、特定波長の光線をフィルタリングするフィルタ板を含むことが好ましい。前記フィルタ板は前記透明板の前面に配置され、前記固定カバーは前記透明板の前面に配置された前記フィルタ板を固定する固定部を含むことが好ましい。
【００１５】
また、前記害虫除去装置は、前記ハウジングの内部に流入する直射光線を遮断すると共に、必要時に前記透明板の前面を覆って保護するように前記固定カバーの前面の上部に回動可能に連結された遮断板を更に含むことが好ましい。即ち、前記遮断板の上部は前記固定カバーに１００〜１６０度角度で回転可能に連結され、前記固定カバーは前記透明板に覆われた遮断板を固定する固定部を含むことができる。
【発明の効果】
【００１６】
以上、詳細に説明したように、本発明に係る害虫除去装置は、害虫の生理を撹乱させる波長の光線により大部分の害虫が効果的に除去され、害虫による各種被害を防止するという利点がある。
【００１７】
また、本発明に係る害虫除去装置は、動物と植物に無害な光線を用いて害虫を除去するので、親環境的で、かつ無害な農産物が生産されるだけでなく、人の体内に化学合成農薬が蓄積されるという問題が未然に防止されるという利点がある。
【００１８】
また、本発明に係る害虫除去装置は、害虫が効果的に除去されて農作物の生産量が増加し、少ない費用で高価で清浄な農産物が裁培されて農家の所得が向上するという利点がある。
【００１９】
また、本発明に係る害虫除去装置は、単純な構造で形成されて低廉な費用で簡便に製作され、事後管理が簡便に実施され、使用時に管理費用が低減されるという利点がある。
【発明を実施するための最良の形態】
【００２０】
以下、添付した図面を参照しつつ本発明に係る害虫除去装置に対する実施形態を説明すれば、次の通りである。
【００２１】
図１、図２及び図４は、本発明の一実施形態に係る害虫除去装置１が図示された斜視図と分解斜視図及び底面図であり、図３は図１に図示された害虫除去装置１の遮断板９０が閉められた状態が図示された正面図であり、図５は図４に図示されたＡ−Ａ線による断面が図示された図であり、図６は図２に図示された固定カバー４０の背面が図示された斜視図であり、図７と図８は図２に図示された据置台５０の上下回転部５４と左右回転部５５が図示された斜視図であり、図９は図２に図示された光源部６０の波長帯域に係る強度が図示されたグラフであり、図１０は図９に図示された可視光線領域を概略的に示すグラフである。 
【００２２】
図１及び図２を参照すれば、本発明の害虫除去装置１は、前面に開口部１１が形成されたハウジング１０と、ハウジング１０の内部に配置された反射体２０と、開口部１１に配置される透明板３０と、ハウジング１０の前面に着脱可能に装着されて開口部１１に透明板３０と反射体２０を固定する固定カバー４０と、ハウジング１０に一側が連結され他側にクランプ５１が備えられた据置台５０と、反射体２０の前方に配置され害虫の生理を撹乱させる波長の光線を照射する光源部６０と、反射体２０の後方に配置されて光源部６０を制御する制御部７０とを含む。
【００２３】
ハウジング１０は、光源部６０と制御部７０及び反射体２０が内部に配置されるように中空の半球形状の部材である。ハウジング１０には光源部６０と制御部７０の過熱が防止されるように、複数個の放熱口１２が離隔するように形成される。そして、ハウジング１０の下部には害虫除去装置１の内部に湿気や温度差により発生した水を外部に排水させるように、複数個の排水口１３が離隔するように形成される。放熱口１２と排水口１３は、ハウジング１０に前後方向に長く形成されたスロット（Slot）であり、ハウジング１０の側面に円周方向に沿って複数個が離隔するように配置される。
【００２４】
図２及び図４を参照すれば、害虫除去装置１は、ハウジング１０に形成された感知部８０と表示部８１を更に含む。ハウジング１０には消費者の認知が容易な位置に第１、２のホール部１４、１５が形成される。第１のホール部１４には外部の光を感知する感知部８０が配置され、第２のホール部１５には害虫除去装置１の作動の有無を表示する表示部８１が配置される。感知部８０は第１のホール部１４を介して流入する光を感知する感光センサを含み、表示部８１は第２のホール部１５を介して外部に光を発散するＬＥＤを含む。勿論、表示部８１として、ＬＣＤ、ＯＬＥＤ、電球などを使うことができる。したがって、害虫除去装置１は感知部８０により昼間と夜間を自動に感知できるのみならず、表示部８１を通じて害虫除去装置１の作動の有無を消費者に知らせてくれる。一方、感知部８０と表示部８１は単一体のモジュールで形成されてハウジング１０の内部に締結部材８３によって共に固定される。
【００２５】
図２及び図５を参照すれば、反射体２０は開口部１１に向かって拡張される漏斗構造で形成されてハウジング１０の内部に配置される。反射体２０の外側端部には縁に沿ってフランジ部２１が突出してハウジング１０の内側面に形成された安着部１６に安着する。安着部１６はハウジング１０の内側面に円周方向に沿って複数個が離隔するように形成された突起である。反射体２０の後方には制御部７０が装着され、反射体２０の前方には制御部７０と連結された光源部６０が配置される。
【００２６】
また、反射体２０の前面には、光源部６０の光線が乱反射されるように複数個の角度で反射面２２が形成され、反射面２２には反射性と耐熱性を有する金属材質のメッキ層２３が形成される。メッキ層２３はクロム材質で形成される。したがって、反射体２０は、光源部６０の光線による反射面２２の変色や熱化が防止され、光源部６０の全ての光線が開口部１１を通じて外部に照射される。
【００２７】
図２を参照すれば、透明板３０はハウジング１０の内部に挿入されてフランジ部２１の前面に安着した透明材質の円板型部材である。透明板３０は光の透過率が９６％以上である高強度アクリルで形成される。透明板３０には複数個の放熱口３１が円周方向に互いに離隔するように形成される。
【００２８】
図２、図５及び図６を参照すれば、固定カバー４０はハウジング１０の前面部位に着脱可能に結合されて開口部１１に透明板３０と反射体２０を固定するリング形状の部材である。固定カバー４０とハウジング１０との間には、害虫除去装置１の内部に湿気と異質物の流入を防止するリング形状のパッキン（Packing）４７が配置される。パッキン４７は固定カバー４０とハウジング１０の結合力により固定カバー４０の内側面とハウジング１０の前面との間に挟まれて固定される。
【００２９】
固定カバー４０は、ハウジング１０の外側面の縁に結合される側面リング部４１と、側面リング部４１の前方端部に連結され透明板３０の前面に配置された前面リング部４２とを含む。ここで、側面リング部４１の内側面には結合溝部４３が形成されてハウジング１０の側面に突出した結合突起１７と結合される。結合溝部４３は、“Ｌ”形状で形成されて結合突起１７が前方向に挿入された後、円周方向に回転されながら結合される。そして、前面リング部４２の中央には透明板３０を透過した光線を前方に照射できるように所定の大きさで照射ホール４４が形成される。前面リング部４２の内側面には円周方向に沿って透明板３０の前面に圧着される圧着用突起４５が所定の高さで突出する。前面リング部４２の下部には害虫除去装置１の内部に湿気や温度差により発生した水を外部に配水させる排水口４６が形成される。
【００３０】
図２、図３及び図６を参照すれば、害虫除去装置１は、固定カバー４０の前面に回動可能に連結された遮断板９０を更に含む。遮断板９０は、開口部１１を通じてハウジング１０の内部に流入する直射光線を遮断すると共に、必要時に透明板３０の前面を覆って保護する。遮断板９０は固定カバー４０の照射ホール４４とマッチングできるように照射ホール４４と同一な形状で形成された円板形状の部材である。遮断板９０の上部にはヒンジ軸９１が形成され、固定カバー４０の前面の上部にはヒンジ軸９１が所定角度で回転可能に連結される円筒形状の軸受け４８が形成される。固定カバー４０の前面リング部４２には遮断板９０の開放時に利用される脱去溝４９が形成される。
【００３１】
そして、遮断板９０と固定カバー４０は、遮断板９０の開放角度を固定カバー４０の前面で１００〜１６０度に設定する。即ち、遮断板９０が１００〜１６０度に開放された際、遮断板９０による直射光線の遮断効果が確保されるだけでなく、開口部１１を通じて照射される光と遮断板９０の干渉が最小化する。また、固定カバー４０は透明板３０の前面に覆われた遮断板９０を固定する固定部９２を含む。固定部９２は、遮断板９０の前方に一端が移動して係止されるように固定カバー４０の前面に他端が回転可能に連結されたレバー形状の部材である。遮断板９０の前面には、固定部９２の一端が容易に挿入されるように固定溝９３が形成される。固定部９２と固定溝９３は、固定カバー４０と遮断板９０に円周方向に沿って複数個が各々対応するように形成される。
【００３２】
図１及び図２を参照すれば、据置台５０は、害虫除去装置１の設置場所に備えられた構造物に締結固定されるクランプ５１と、クランプ５１に一端が連結された支持ロッド５２と、支持ロッド５２の他端に上下方向に回転可能に連結され、ハウジング１０の上部に左右方向に回転可能に連結された回転コネクター５３を含む。クランプ５１は前述の構造物に複数個の締結部材５６で着脱可能に装着され、支持ロッド５２の一端はクランプ５１に熔接な任意の方法で一体連結される。
【００３３】
図２、図７及び図８を参照すれば、回転コネクター５３は、支持ロッド５２の他端に上下方向に回転されるようにヒンジ構造で連結された上下回転部５４と、上下回転部５４に左右方向に回転されるように結合され、ハウジング１０の上部に装着された左右回転部５５を含む。上下回転部５４は円板形状で形成されて支持ロッド５２の他端が上部に回転可能に連結される。左右回転部５５は、上下回転部５４の縁を囲むように形成され、ハウジング１０の上部に複数個の締結部材により締結固定される。上下回転部５４と左右回転部５５の接触面のうち、いずれか１つの面には円周方向に沿って複数個の位置設定突起５７が同一間隔で離隔するように形成され、上下回転部５４と左右回転部５５の接触面のうち、他の１面には位置設定突起５７と対応するように複数個の位置設定溝５８が形成される。したがって、ハウジング１０が左右方向に回転されれば、位置設定突起５７が前記位置設定溝５８から離脱した後、隣り合う他の位置設定溝５８に挿入されながらハウジング１０の回転角度が設定される。勿論、支持ロッド５２の他端と上下回転部５４の接触面にも位置設定溝５８と位置設定突起５７を形成することができる。
【００３４】
図２と図９及び図１０を参照すれば、光源部６０は、反射体２０の前面中央に配置されて害虫の生理を撹乱させる波長の光線（以下、‘撹乱光’という）を発生させるランプを含む。光源部６０の撹乱光は、青色と紫色のうち、少なくともいずれか１つ系列の可視光線である。即ち、光源部６０は紫外線から赤外線まで多様な波長の光線を連続に発生させるが、撹乱光に該当する３８０ｎｍ〜５００ｎｍ波長帯域の光線を赤外線を除いて相対的に強く発生させる。
【００３５】
特に、図９に図示されたグラフは、本発明に係る害虫除去装置１の光源部６０に採用されたランプに対する相対分光輻射照度グラフである。これは韓国標準科学研究院（Korea Research Institute of Standards and Science）に依頼して光源部６０の相対分光輻射照度試験（試験番号０６−１０８４４−００１）時に測定された値である。当該試験は、周囲温度２３±２℃と湿度５５％以下で交流電圧２２０Ｖが印加される環境条件で測定された。
【００３６】
撹乱光は、夜間に害虫の複眼の色素粒移動を抑制して暗適応化を妨害する効果が優れるだけでなく、多くの害虫で同一の効果を期待することができるという特徴がある。複眼は複数個の単眼が集まって形成された害虫の複眼を指し、暗適応化は複眼内の色素粒が移動して複眼が闇に適応することを指す。一般に、害虫は暗適応化のために色素粒が移動すれば、神経伝達物質によりホルモンが移動して、産卵、交尾、変異などが進行する。しかしながら、光源部６０の撹乱光により色素粒移動が抑制されれば、害虫の暗適応化が妨害を受けて神経伝達の撹乱によりホルモン分泌も撹乱される。したがって、害虫の生態リズムが破壊されて成虫が死滅し、害虫の産卵撹乱、交尾撹乱、変異撹乱などのような生理撹乱により害虫の繁殖が防止される。
【００３７】
また、光源部６０の撹乱光は多くの害虫で同一の効果を期待することができるため、多様な種類の害虫に対して供用で使うことができる。下記の表１を参照すれば、光源部６０の撹乱光により死滅する害虫には、蝉目、蠅目、アオオサムシ目、ダニ目、草亀目、アザミウマ目、及び蝶目などがある。
【００３８】
【表１】
2008104444.tif 000003
【００３９】
また、光源部６０は、害虫を誘引する波長の光線（以下、‘誘引光’という）や、農作物の生育の助けになる波長の光線（以下、‘生育光’という）を更に含むことができる。光源部６０において、誘引光が撹乱光と共に強く発生すれば、誘引光により害虫が誘引され、撹乱光により害虫が死滅する。したがって、害虫除去装置１の害虫除去性能がより一層向上する。光源部６０で生育光が撹乱光と共に強く発生すれば、生育光により農作物の生育が促進され、撹乱光により害虫が死滅する。したがって、害虫除去装置１により農作物の生産性がより一層向上する。
【００４０】
誘引光としては、蠅目の害虫に対して赤色系列の可視光線が使われて、蝉目の害虫に対して黄色系列または樺色系列の可視光線が使われる。下記の表２を参照すれば、生育光は植物に悪影響を与えない３１５ｎｍ〜１，０００ｎｍ波長帯域の光線のうち、少なくともいずれか１つの波長帯域光線が選択的に使われる。一方、表２の３１５ｎｍ以下の波長帯域に該当する光線は、紫外線系列の光線であって、害虫除去装置１は透明板３０により光源部６０で発生させた紫外線の大部分が遮断される。なぜならば、紫外線は石英材質以外のガラスやプラスチック材質で形成された透明板３０が透過できない特性を有するためである。
【００４１】
【表２】
2008104444.tif 000004
【００４２】
一方、害虫除去装置１で撹乱光と共に誘引光や生育光を利用する方法には、光源部６０を撹乱光と共に誘引光や生育光を同時に発生させる特殊なランプで構成したり、光源部６０を撹乱光を発生させるランプと、誘引光または生育光を発生させるランプで構成することができる。または、撹乱光を発生させる光源部６０が採用された第１害虫除去装置と、誘引光または生育光を発生させる光源部６０が採用された第２害虫除去装置を組合せて使用することも可能である。
【００４３】
図２を参照すれば、制御部７０は、反射体２０の背面に締結部材により締結固定される印刷回路基板（ＰＣＢ）を含む。制御部７０は、光源部６０、感知部８０、及び表示部８１に連結されて害虫除去装置１の作動を制御することになる。特に、制御部７０は、光源部６０の光線による植物への悪影響がなく、かつ、害虫の除去性能を確保することができるように、光源部６０の点灯作動と消灯作動を適切に制御することになる。
【００４４】
前述のように構成された本発明の一実施形態に係る害虫除去装置の制御方法及び動作に関して説明すれば、次の通りである。 
【００４５】
図１１は本発明の一実施形態に係る害虫除去装置１の制御方法が図示されたフローチャートであり、図１２と図１３は本発明の一実施形態に係る害虫除去装置１を利用したモグリバエとオンシツコナジラミに対する実験値が図示されたグラフである。
【００４６】
まず、図１１を参照して害虫除去装置１の制御方法を説明すれば、害虫除去装置１に電源が印加され、害虫除去装置１の感知部８０がハウジング１０の第１のホール部１４を通じて流入する光を感知して昼間と夜間を判別することになる（Ｓ１、Ｓ２）。即ち、感知部８０で感知された光の強度が設定水準未満であれば、害虫除去装置１の制御部７０は夜間であると判断する。感知部８０で感知された光の強度が設定水準以上であれば、害虫除去装置１の制御部７０は昼間であると判断する。この際、害虫除去装置１の表示部８１は電源が印加されることによって点灯し、ハウジング１０の第２のホール部１５を介して害虫除去装置１の作動状態を外部に表示することになる。
【００４７】
前述のような害虫除去装置１は害虫の色素粒移動を抑制して暗適応化を妨害するために夜間に作動することが好ましい。一般に、冬期には日没後１０時間の間に害虫除去装置１が作動し、夏期には日没後８時間の間に害虫除去装置１が作動する。
【００４８】
制御部７０が夜間であると判断することになれば、害虫除去装置１の光源部６０が点灯する点灯モードの作動回数が初期化され、害虫除去装置１の制御部７０により測定される時間測定値も初期化される（Ｓ３、Ｓ４）。そして、制御部７０は害虫除去装置１の作動時間を測定することになる（Ｓ５）。
【００４９】
害虫除去装置１は、制御部７０の時間測定値が第１設定時間に到達する時まで光源部６０が消灯する消灯モードを維持し、制御部７０の時間測定値が第１設定時間以上になれば光源部６０が点灯する点灯モードが第２設定時間の間進行する（Ｓ６、Ｓ７、Ｓ８）。本実施形態では、第１設定時間を２時間に設定し、第２設定時間を１０分〜２０分に設定する。
【００５０】
点灯モードでは、光源部６０が第２設定時間の間連続で点灯したり、または光源部６０が第２設定時間の間、一定時間の間隔で瞬間点滅する。以下では、光源部６０が瞬間点滅しながら閃光を発生させることについて説明する。本実施形態では、点灯モードで光源部が２秒〜５秒間隔で０．１秒〜０．２５秒間点灯して閃光を発生させることになる。
【００５１】
点灯モードが第２設定時間の間進行すれば、制御部７０により光源部６０が消灯する（Ｓ９）。そして、点灯モードが実施された作動回数が設定回数未満であれば、制御部の作動回数が１回増加し、制御部の時間測定値が初期化され、前述した過程を繰り返すことになる（Ｓ１０、Ｓ１１）。即ち、害虫除去装置１は、光源部６０を第１設定時間の間消灯する消灯モードと、光源部６０を第２設定時間の間に点滅させる点灯モードを交互に反復的に行う。
【００５２】
前述したように、害虫除去装置１の点灯モードが夜間に制限的に作動する理由は、光源部６０の撹乱光による害虫の生理撹乱は誘発できるが、光源部６０の光線により農作物の生体リズムが破壊されることは防止できるためである。即ち、光源部６０の光線が第１設定時間の間隔で第２設定時間の間に閃光形態で照射されるので、害虫の色素粒移動は抑制可能であり、植物への影響は最小化する。
【００５３】
そして、前述のように光源部６０の消灯モードと点灯モードが反復的に実施されて前記作動回数が設定回数に到達したり、または、感知部８０の感知値により制御部７０が昼間であると判断することになれば、害虫除去装置１の動作が終了する（Ｓ１２）。
【００５４】
一方、害虫除去装置１の光源部６０で発生した撹乱光が夜間に害虫に照射されれば、撹乱光により害虫の複眼内に色素沈着がなされて複眼の色素粒移動が抑制され、色素粒移動の抑制により害虫の暗適応化が失敗して、生体リズムが乱れながら歪曲される。したがって、害虫の生体リズムが乱れれば、害虫の成虫も３〜４日位に全て死滅し、害虫の神経情報伝達と物質生産及び昆虫ホルモンなども撹乱されて生理撹乱が発生する。
【００５５】
前述のような生理撹乱は、産卵撹乱、交尾撹乱、変異撹乱などを含むので、害虫の繁殖が防止され、害虫のうち、変態をする害虫に悪影響を及ぼして成虫が卵や仔を産めないようにする効果がある。即ち、害虫除去装置１は、成虫だけでなく卵と幼虫の減少も具現されて、害虫の除去性能が向上し、特定の害虫でない多くの害虫に同一の効果が発生して害虫の除去に供用で使用可能であるという利点がある。
【００５６】
特に、害虫除去装置１の光源部６０により撹乱光と共に誘引光や生育光が発生すれば、誘引光により害虫が誘引された後、光源部６０により害虫が死滅したり、撹乱光により害虫が死滅しながら生育光により農作物の生育が促進される。
【００５７】
図１２と図１３は、害虫除去装置１を用いたモグリバエとオンシツコナジラミに対する実験値が各々図示されたグラフである。当該グラフは金海市大洞面所在のガーベラ農場で害虫除去装置１の性能を実験した内容を示した図である。
【００５８】
図１２の（Ａ）では、害虫除去装置１の光源部６０でモグリバエが嫌う黄色系列の可視光線を発生させる際の、一定面積の農作物に存在するモグリバエの密度変化を測定したグラフである。当該グラフに示すように、モグリバエは黄色系列の可視光線により実験初期には個体数が減少したが、実験中期からは黄色系列の可視光線を無視し個体数が増加した。即ち、光源部６０から害虫が嫌う光線を発生させる場合には、初期に害虫が光線を回避して個体数が暫し減ることになるが、結局、害虫の個体数が増加した。
【００５９】
図１２の（Ｂ）では、害虫除去装置１の光源部６０でモグリバエの暗適応化を防止する青色と紫色系列の可視光線、即ち撹乱光を発生させる際の、一定面積の農作物に存在するモグリバエの密度変化を測定したグラフである。当該グラフに示すように、モグリバエは撹乱光により実験初期から実験末期まで個体数が持続的に減少した。即ち、光源部６０で撹乱光を発生させる場合には、害虫の生理的撹乱により害虫の個体数が持続的に減少し、結局、多くの害虫が死滅した。
【００６０】
図１２の（Ｃ）では、害虫除去装置１の光源部６０で図１２の（Ｂ）の撹乱光だけでなく、モグリバエを誘引する赤色系列の可視光線である誘引光を発生させる際の、一定面積の農作物に存在するモグリバエの密度変化を測定したグラフである。当該グラフに示すように、モグリバエは撹乱光により実験初期から実験末期まで個体数が持続的に減少したのであり、実験初期と実験中期には誘引光によりモグリバエが誘引されて図１２の（Ｂ）の場合より個体数の減少速度が増大した。即ち、光源部６０で撹乱光と誘引光を共に発生させる場合には、害虫を誘引する効果が追加されるので、害虫の生理的撹乱による害虫の除去速度が向上した。
【００６１】
図１３の（Ａ）では、害虫除去装置１の光源部６０でオンシツコナジラミが嫌う赤色系列の可視光線を発生させる際の、一定面積の農作物に存在するオンシツコナジラミの密度変化を測定したグラフである。当該グラフでは、図１２の（Ａ）に図示された内容と類似するように、オンシツコナジラミが赤色系列の可視光線により実験初期には個体数が減少したが、実験中期からは前記赤色系列の可視光線を無視し個体数が増加した。 
【００６２】
図１３の（Ｂ）では、害虫除去装置１の光源部６０でオンシツコナジラミの暗適応化を防止する青色と紫色系列の可視光線、即ち撹乱光を発生させる際の、一定面積の農作物に存在するオンシツコナジラミの密度変化を測定したグラフである。当該グラフでも図１２の（Ｂ）に図示された内容と類似するように、モグリバエは撹乱光により実験初期から実験末期まで個体数が持続的に減少した。
【００６３】
図１３の（Ｃ）では、害虫除去装置１の光源部６０で図１３の（Ｂ）の撹乱光だけでなく、オンシツコナジラミを誘引する黄色系列の可視光である誘引光を発生させる際の、一定面積の農作物に存在するモグリバエの密度変化を測定したグラフである。当該グラフでは、図１２の（Ｃ）に図示された内容と類似するように、オンシツコナジラミは撹乱光により実験初期から実験末期まで個体数が持続的に減少したのであり、実験初期と実験中期には誘引光によりオンシツコナジラミが誘引されて図１３の（Ｂ）の場合より個体数の減少速度が増大した。
【００６４】
したがって、図１２と図１３に図示された実験内容によれば、害虫除去装置１で照射される撹乱光により害虫が除去され、撹乱光と共に誘引光が使われれば、害虫除去装置１の害虫除去速度が向上する。
【００６５】
図１４は本発明の他の実施形態に係る害虫除去装置１００が図示された分解斜視図であり、図１５は図１４に図示された害虫除去装置１の正面図である。
【００６６】
図１４において、前述した一実施形態と同一の参照符号は同一の部材を示す。以下では、前述した一実施形態との相異点を中心に説明する。
【００６７】
図１４の害虫除去装置１００と図１の害虫除去装置１との相異点は、光源部６０が反射体２０の前面に配置されて害虫の生理を撹乱させる波長の光線を発生させるランプ１６０と、ランプ１６０の前方に配置されてランプ１６０の光線の中、特定波長の光線をフィルタリングするフィルタ板１６２を含むという点にある。ここで、前記ランプ１６０は図２に図示された光源部のランプと同一に形成される。
【００６８】
フィルタ板１６２は透明板３０の前面に配置される円板形状の部材である。フィルタ板１６２には透明板３０の放熱口３１と対応するように放熱口１６４が形成される。固定カバー４０は透明板３０の前面に遮断板９０を固定したり透明板３０の前面に配置されたフィルタ板１６２を固定する固定部９２を含む。固定部９２は、フィルタ板１６２の前方に一端が移動して係止されるように固定カバー４０の前面に他端が回転可能に連結されたレバー形状の部材である。
【００６９】
フィルタ板１６２は、透明板３０を通じて外部に照射される光線で特定波長の光線をフィルタリングするように形成される。例えば、フィルタ板１６２が赤色で形成されればフィルタ板１６２を通じて赤色系列の可視光が照射され、フィルタ板１６２が黄色で形成されればフィルタ板１６２を通じて黄色系列の可視光が照射される。
【００７０】
一方、フィルタ板１６２は、ランプ１６０の光線をフィルタリングして撹乱光、誘引光、及び生育光のうち、少なくともいずれか１つのみを外部に照射させることができる。したがって、ランプ１６０に一般的な電球やＬＥＤが使われる場合でも、フィルタ板１６０により、害虫除去装置１００は、撹乱光、誘引光、及び生育光を各々照射することができる。
【００７１】
このように、本発明による害虫除去装置を例示された図面を参照にして説明したが、本発明は、前記の実施形態と図面により限定されるのではなく、その発明の技術的思想の範囲内で当業者により多様に変形が可能であることは勿論である。
【００７２】
即ち、本発明を青色と紫色系列の可視光を用いて害虫を除去する多様な構造の機器に全て適用することができる。また、本発明において、特定波長帯域の光のみを吸収する物質が塗布されたフィルタ板や、特定波長帯域の光のみを通過させるパターンが形成されたフィルタ板を使うことができる。
【図面の簡単な説明】
【００７３】
【図１】本発明の一実施形態に係る害虫除去装置が図示された斜視図である。
【図２】図１に図示された害虫除去装置の分解斜視図である。
【図３】図１に図示された害虫除去装置の遮断板が閉められた状態が図示された正面図である。
【図４】図３に図示された害虫除去装置の底面図である。
【図５】図４に図示されたＡ−Ａ線による断面が図示された図である。
【図６】図２に図示された固定カバーの背面が図示された斜視図である。
【図７】図２に図示された据置台の上下回転部が図示された斜視図である。
【図８】図２に図示された据置台の左右回転部が図示された斜視図である。
【図９】図２に図示された光源部の波長帯域による強度が図示されたグラフである。
【図１０】図９に図示された可視光領域を概略的に示すグラフである。
【図１１】本発明の一実施形態に係る害虫除去装置の制御方法が図示されたフローチャートである。
【図１２】本発明の一実施形態に係る害虫除去装置を用いたモグリバエに対する実験値が図示されたグラフである。
【図１３】本発明の一実施形態に係る害虫除去装置を用いたオンシツコナジラミに対する実験値が図示されたグラフである。
【図１４】本発明の他の実施形態に係る害虫除去装置が図示された分解斜視図である。
【図１５】図１４に図示された害虫除去装置の正面図である。
【符号の説明】
【００７４】
１      害虫除去装置
１０    ハウジング
２０    反射体
３０    透明板
４０    固定カバー
５０    据置台
６０    光源部
７０    制御部
８０    感知部
８１    表示部
９０    遮断板
１００  害虫除去装置
１６０  ランプ
１６２  フィルタ板
【図１】
2008104444.tif 000005
【図２】
2008104444.tif 000006
【図３】
2008104444.tif 000007
【図４】
2008104444.tif 000008
【図５】
2008104444.tif 000009
【図６】
2008104444.tif 000010
【図７】
2008104444.tif 000011
【図８】
2008104444.tif 000012
【図９】
2008104444.tif 000013
【図１０】
2008104444.tif 000014
【図１１】
2008104444.tif 000015
【図１２】
2008104444.tif 000016
【図１３】
2008104444.tif 000017
【図１４】
2008104444.tif 000018
【図１５】
2008104444.tif 000019